【事件の表示】
　特願２００２−５６５３２９号「許可スイッチを備えた電力供給ソケット」拒絶査定不服審判事件〔平成１４年８月２２日国際公開、ＷＯ０２／６５４９５、平成１６年７月１５日国内公表、特表２００４−５２１４５４号〕について、次のとおり審決する。
【結　論】
　本件審判の請求は、成り立たない。
【理　由】
第１　手続の経緯 
　本件に係る出願（以下、「本願」という。）は、２００１年１１月１５日（パリ条約による優先権主張外国特許庁受理２００１年２月１２日、米国）を国際出願日とする特許出願であって、平成１９年１１月５日付けで拒絶査定がなされ（発送日：同年１１月１３日）、これに対し、平成２０年２月１２日に拒絶査定不服審判の請求がなされるとともに、同年３月１３日付けで手続補正がなされ、当審による平成２２年６月７日付けの拒絶理由通知に対し、同年９月６日付けで手続補正がなされたものである。
　 
第２　本願発明
　本願の請求項１〜３１に係る発明は、平成２２年９月６日付け手続補正書により補正された特許請求の範囲の請求項１〜３１に記載されたとおりのものであるところ、その請求項１に係る発明（以下、「本願発明」という。）は以下のとおりである。
「ＡＣ電源からの電気出力を少なくとも１つの先端を有する電気プラグのコネクタに供給するソケットであって、前記ＡＣ電源へのＤＣ電気入力が電気スイッチにより制御されるソケットにおいて、
　複数の壁により形成された内部チャンバを有し、少なくとも１つの壁に開口を含むハウジングと、
　前記ＡＣ電源に接続可能で前記電気出力を受けることができ、前記内部チャンバにある少なくとも１つの電気的に導体の導電性ターミナルであって、前記ハウジングの前記壁にある開口を介してアクセス可能であって、前記開口を介して挿入可能な少なくとも１つの先端を有するとともに前記少なくとも１つの導電性ターミナルと接触する前記電気プラグのコネクタに前記ＡＣ電源から電気出力を供給可能である導電性ターミナルと、
　前記電気スイッチに接続する少なくとも１つの制御ターミナルと、
　前記内部チャンバに配置され、前記少なくとも１つの制御ターミナルに接続されたソケット許可スイッチであって、前記少なくとも１つの先端が前記開口に挿入されたときに、前記電気スイッチを電気的に制御して、前記電気出力を前記少なくとも１つの導電性ターミナルに印加するのを許容するように動作可能であるソケット許可スイッチとからなり、
　前記少なくとも１つの先端は、前記ソケット許可スイッチを起動し、前記ソケット許可スイッチは、前記ＡＣ電源の電気出力から電気的に隔絶されている、ソケット。」
　 
第３　引用例
１．当審の拒絶理由に引用された、本願の優先日前に頒布された刊行物である、特開２０００−３０１９９１号公報（以下、「引用例１」という。）には、図面とともに以下の事項が記載されている。
ａ）「【請求項１】  自動車のバッテリ（１３）に接続し、かつ電圧を昇圧するトランス（１４）を備えたＤＣ−ＤＣコンバータ電源回路（１０）と、
該ＤＣ−ＤＣコンバータ電源回路（１０）に接続し、かつ１００［Ｖ］の一般家庭用の電気器具の家電用プラグ（５）に接続する家電用ソケット（４）
前記
家電用プラグ（５）を装着することに連動するアウトレットスイッチ（６）
を備えたことを特徴とする車両用ソケット。
【請求項２】  前記請求項１記載の発明において、
前記
ＤＣ−ＤＣコンバータ電源回路（１０）は、前記アウトレットスイッチ（６）により作動するコンバータ駆動回路（１７）を備えた
・・・
【請求項７】  前記請求項１記載の発明において、
前記アウトレットスイッチ（６）は、家電用プラグ（５）を装着するソケット端子（４ａ）とソケット端子（４ｂ）との間に、前記アウトレットスイッチ（６）の可動接点（６ｃ）を作動させるプッシュロッド（６ｂ）を配設してなることを特徴とする車両用ソケット。」（【特許請求の範囲】、下線は当審で付与、以下同様。） 
ｂ）「本発明は、一般家庭用の電気器具を自動車の車内で使用できる車両用ソケットを提供することを目的とする。」（段落【０００４】） 
ｃ）「【発明の実施の形態】以下図１、図２、及び図５に基づき本発明の第１の実施の形態を詳述する。図１において、
１はソケットケース
家電用ソケット４
アウトレットスイッチ６
ソケットケース１は、背面に電気回路基板８に配設
　シガライタ用ソケット３は、自動車用シガライタのシガライタ用プラグ２等のカーアクセサリのプラグを電気的に接続するソケットである。
家電用ソケット４は、携帯電話や電気かみそり等の一般家庭用電気器具の家電用プラグ５を電気的に接続するソケット
家電用ソケット４は、家電用プラグ５のプラグ端子５ａ，５ｂに電気的に接続するソケット端子４ａ，４ｂを有する
　該ソケット端子４ａとソケット端子４ｂとの間には、前記アウトレットスイッチ６のプッシュロッド６ｂが配置されている。該
アウトレットスイッチ６は
家電用プラグ５のプラグ端子５ａ，５ｂをソケット端子４ａ，４ｂに差し込むと、家電用プラグ５にプッシュロッド６ｂが押圧されて可動接点６ｃが固定接点６ｄから離れてＯＦＦする
　図２は、アウトレットスイッチ６の第１の実施の形態を示す概略図である。家電用ソケット４に設けたアウトレットスイッチ６は、家電用プラグ５のプラグ端子５ａ，５ｂをソケット端子４ａ，４ｂに装着すると、押圧面５ｃがスプリング６ａに付勢されたプッシュロッド６ｂを押圧して、固定接点６ｄに接触していた可動接点６ｃを押圧してＯＦＦさせるスイッチである。
　該アウトレットスイッチ６は、家電用プラグ５のプラグ端子５ａ，５ｂをソケット端子４ａ，４ｂから離脱すると、プッシュロッド６ｂがスプリング６ａに付勢されて元の位置に復帰されると共に可動接点６ｃが自らの弾性で固定接点６ｄに接触してＯＮするスイッチである。」（段落【００１４】〜【００１８】）
ｄ）「次に図５に基づき電気回路を詳述する。ＤＣ−ＤＣコンバータ１０は、一方をイグニションスイッチ１２に接続し、他方を例えば１２［Ｖ］のバッテリ１３に接続している。該ＤＣ−ＤＣコンバータ１０は、発光ダイオード９と、家電用ソケット４と、アウトレットスイッチ６と、トランス１４と、平滑回路１５と、ブレーカ回路１６と、コンバータ駆動回路１７と、ＩＣ１８と、でなる。
　前記家電用ソケット４は、ソケット端子４ａ，４ｂを平滑回路１５に接続している。アウトレットスイッチ６は、可動接点６ｃをアースし、固定接点６ｄをブレーカ回路１６を介してＩＣ１８に接続している（当審注：図５では、６ｄはブレーカ回路１６を介さずＩＣ１８に接続している。）。平滑回路１５は、ダイオード１５ａと、コンデンサ１５ｂとでなる。該平滑回路１５は、ソケット端子４ａ，４ｂとトランス１４との間に接続している。
　トランス１４は、バッテリ１３の１２［Ｖ］の電源電圧を１００［Ｖ］に昇圧変圧器で、１次コイル１４ａと２次コイル１４ｂと３次コイル１４ｃとでなる。前記１次コイル１４ａは、一方をイグニションスイッチ１２に接続し、他方をコンバータ駆動回路１７に接続している。前記２次コイル１４ｂは、一方を平滑回路１５に接続し、他方を３次コイル１４ｃを介してブレーカ回路１６に接続している。」（段落【００２４】〜【００２６】）
ｅ）「前記
コンバータ駆動回路１７は、トランジスタやＦＥＴ等でなり、１次コイル１４ａ側のＦＥＴをＯＦＦさせるための回路
コンバータ駆動回路１７は、家電用ソケット４に家電用プラグ５を奥深く差し込み、アウトレットスイッチ６がＯＦＦになったときのみ、電源をＯＮさせる
　前記ＩＣ１８は、ＦＥＴ駆動回路と、リセット回路と、発振回路とを備えてなる。前記発光ダイオード９は、家電用プラグ５をソケット端子４ａ，４ｂに装着したときに点灯する作動表示部である。該発光ダイオード９は、一方をＩＣ１８に接続し、他方をアースしている。」（段落【００２８】〜【００２９】）
ｆ）「本発明は、以上のような構成であり、次のようにして使用する。まず、図５に示すイグニションスイッチ１２をＯＮさせる。
小電流の家電製品の家電用プラグ５をソケット端子４ａ，４ｂに装着する。アウトレットスイッチ６は、プッシュロッド６ｂが家電用プラグ５に押圧されて可動接点６ｃを固定接点６ｄから切り離す
　すると
コンバータ駆動回路１７がＯＮして、１次コイル１４ａ側には１２［Ｖ］の電流が流れる。２次コイル１４ｂ側にはトランス１４で昇圧された１００［Ｖ］の電流が流れる。これにより家電用プラグ５の家電製品を使用することができる
ｇ）「【発明の効果】本発明は、以上説明したように構成したので、次のような効果がある。請求項１の発明は、自動車のバッテリに接続し、かつ電圧を昇圧するトランスを備えたＤＣ−ＤＣコンバータ電源回路と、該ＤＣ−ＤＣコンバータ電源回路に接続し、かつ１００［Ｖ］の一般家庭用の電気器具の家電用プラグに接続する家電用ソケットと、前記家電用プラグを装着することに連動するアウトレットスイッチと、を備えたことで、一般家庭用の電気器具を自動車内で使用可能にすると共に、
家電用ソケットに家電用プラグを装着していないとき、イグニションスイッチを切り忘れてもアウトレットスイッチがＯＦＦしているので、省エネを図ることができる
ｈ）上記ａ）、ｆ）によれば、車両用ソケットはＤＣ−ＤＣコンバータ電源回路（１０）による
１００Ｖ電源からの電気出力を家電用プラグ（５）に供給する車両用ソケット
　
　上記記載事項を総合して、本願発明の記載ぶりに則って整理すると、引用例１には、次の発明（以下、「引用発明」という。）が記載されている。
　
　「１００Ｖ電源からの電気出力を家電用プラグ（５）のプラグ端子（５ａ、５ｂ）に供給する車両用ソケットであって、１００Ｖ電源はＤＣ−ＤＣコンバータ電源回路（１０）のコンバータ駆動回路（１７）によりＯＮ，ＯＦＦされる車両用ソケットにおいて、
　背面に電気回路基板（８）に配設し、家電用ソケット（４）を備えたソケットケース（１）と、
　前記１００Ｖ電源に接続する、前記家電用ソケット（４）のソケット端子（４ａ、４ｂ）であって、前記ソケットケース（１）の家電用ソケット（４）に差し込み可能な先端を有するとともに前記ソケット端子（４ａ、４ｂ）と接続する前記家電用プラグ（５）のプラグ端子（５ａ、５ｂ）に前記１００Ｖ電源を接続するソケット端子（４ａ、４ｂ）と、
　前記コンバータ駆動回路（１７）に接続するＩＣ（１８）と、
　前記ソケットケース（１）に配置され、前記ＩＣ（１８）に接続されたアウトレットスイッチ（６）であって、前記家電用プラグ（５）が前記家電用ソケット（４）に装着されたときに、前記コンバータ駆動回路（１７）をＯＮして、電源をＯＮさせ前記ソケット端子（４ａ、４ｂ）に電流が流れるようにするアウトレットスイッチ（６）とからなり、
　前記家電用プラグ（５）は、前記アウトレットスイッチ（６）を作動し、前記アウトレットスイッチ（６）は、前記ＤＣ−ＤＣコンバータ電源回路（１０）の１００Ｖ側から電気的に隔絶されている、車両用ソケット。」 
　
２．当審の拒絶理由に引用された、本願の優先日前に頒布された刊行物である、特開平７−６５８８９号公報（以下、「引用例２」という。）には、図面と共に次の事項が記載されている。  
ａ）「図１，図２，図３のように安全コンセントのケースであるハウジング１には、このハウジング１に付属し外部よりの差し込み端子を固持する部材である第１クリップ２、第２クリップ３と、電源を得るために外部から雄プラグ７を押し上げる部材である安全手段６とがある。そして、第１クリップ２には電源の第１極（または陽極）である部材の第１端子板４が設けられ、第２クリップ３には電源の第２極（または陰極）である部材の第２端子板５が設けられている。
　また、ハウジング１は、中央仕切り部１１１を有する部材である下部ハウジング部１１があり、この下部ハウジング部１１は中央仕切り部１１１の両側の第１空隙１１２と第２空隙１１３により仕切られ、この空隙にそれぞれ第１クリップ２と第２クリップ３が備え付けられている。
下部ハウジング部１１を覆うカバー１２には、雄プラグ７の２つのプラグピン７１，７２を通すため２つのピン穴１２１がある
　
第１クリップ２には、ハウジング１の空隙１１２内にねじにより固定されているベースクリップ２１と、第１クリップ２と共に電気的，機械的に接続されている前記ねじの頭であるクリップ接点２２
　第２クリップ３には、第１クリップ２と同様に雄プラグ７のプラグピン７１，７２を挟み保持するものが供えられている。この第２クリップ３は電源の第２極（または陰極）に接続される。
　安全手段６には、弾性のある導電性金属から作られている復帰接点レバー６０があり、この復帰接点レバー６０には絶縁層である上表部６０ｃと、第１クリップ２上にあるクリップ接点２２と接触を行うため押し下げられる復帰接点レバー６０の底部に付属しているレバー接点６０ａとがある。そして、安全手段６の端部６０ｂと電源の第１極（陽極）に接続された第１端子板４とは、接続されハウジング１内の支持台１１４に共に固定される。
ハウジングカバー１２のピン穴１２１を通して雄プラグ７のプラグピン７１をカバー１２内部へ差し込み、復帰接点レバー６０を下方へ下げた後、この復帰接点レバー６０のレバー接点６０ａを第１クリップ２のクリップ接点２２と接触させると、第１クリップ２，復帰接点レバー６０および第１端子板４は電気的に接続され結果として電源と雄プラグ７が接続される
　復帰接点レバー６０の絶縁上表部６０ｃは、ピン穴１２１を導電性の金属が差し込まれ復帰接点レバー６０の絶縁上表部６０ｃの下の導電性金属との接触を妨げている。」（段落【０００８】〜【００１３】）
ｂ）「安全手段には、図４，図５，図６のように下部テーパー部６１１と上部拡大部６１２（下部テーパー６１１より大きい直径を持つ）からなる
ハウジング１のカバー１２の下方に位置するプランジャ６１と、絶縁材料から作られカバー１２のボタン形の穴１２２を通りプランジャ６１を付属しているボタン６２と、プランジャ６１とハウジング１内の中央仕切り部１１１の窪みに設置されたプランジャソケット１１５との間に保持された復帰バネ６３とがある
プランジャ６１の上部拡大部６１１は雄プラグ７によってボタン６２が押し下げられると、第１端子板４を横方向へ押し出して第１クリップ２と接触させ第１クリップ２と雄プラグ７のプラグピン７１とを電源の第１極（陽極）に接続させる
ｃ）「【発明の効果】以上述べたように本発明の安全コンセントによれば、適切にソケットが安全コンセントに挿入された場合に限り、安全手段が解除され電源を供給するので子供のいたずらなどによる感電などの事故はなくなる。」（段落【００２３】）
　
　上記記載事項及び図示内容を総合すると、引用例２には、次の事項が記載されている。
　
　「ハウジングカバー１２のピン穴１２１を通して雄プラグ７のプラグピン７１をカバー１２内部へ差し込み、ハウジング１の空隙１１２内に設けた復帰接点レバー６０のレバー接点６０ａと第１クリップ２のクリップ接点２２とを接触させて電源と雄プラグ７を接続すること」（記載事項Ａ）及び「ハウジングカバー１２に設けたボタン６２を雄プラグ７によって押し下げ、第１端子板４と第１クリップ２と接触させ電源と雄プラグ７が接続すること」（記載事項Ｂ）
　
第４　対比
　本願発明と引用発明とを対比すると、その機能又は構造、作用からみて、引用発明の「家電用プラグ（５）のプラグ端子（５ａ、５ｂ）」は、本願発明の「少なくとも１つの先端を有する電気プラグのコネクタ」に相当し、
　以下、同様に、「車両用ソケット」は「ソケット」に、
　「ソケットケース（１）」は「ハウジング」に、
　「アウトレットスイッチ（６）」は「ソケット許可スイッチ」に、それぞれ相当する。
　また、引用発明の「ソケットケース（１）」は背面に電気回路基板（８）を配設するように形成されたものであるから、複数の壁により形成された内部チャンバを有しているといえ、
　引用発明の「家電用ソケット（４）」は家電用プラグ（５）のプラグ端子（５ａ、５ｂ）が挿入されるものであるから、本願発明のハウジングの前壁にある「開口」に相当する開口を有しているといえ、
　引用発明の「ソケット端子（４ａ、４ｂ）」は「プラグ端子（５ａ、５ｂ）」に接続するものであるから、本願発明の「少なくとも１つの電気的に導体の導電性ターミナル」に相当するものである。
　したがって、引用発明の「背面に電気回路基板（８）に配設し、家電用ソケット（４）を備えたソケットケース（１）」は本願発明の「複数の壁により形成された内部チャンバを有し、少なくとも１つの壁に開口を含むハウジング」に相当し、以下、同様に
　「家電用ソケット（４）のソケット端子（４ａ、４ｂ）」は「内部チャンバにある少なくとも１つの電気的に導体の導電性ターミナル」に、
　「前記ソケットケース（１）の家電用ソケット（４）に差し込み可能な先端を有するとともに前記ソケット端子（４ａ、４ｂ）と接続する前記家電用プラグ（５）のプラグ端子（５ａ、５ｂ）」は「前記ハウジングの前記壁にある開口を介してアクセス可能であって、前記開口を介して挿入可能な少なくとも１つの先端を有するとともに前記少なくとも１つの導電性ターミナルと接触する前記電気プラグのコネクタ」に、
　「家電用プラグ（５）が前記家電用ソケット（４）に装着されたとき」は、「少なくとも１つの先端が前記開口に挿入されたとき」に、それぞれ相当する。
　そして、引用発明の「１００Ｖ電源」は、本願発明の「ＡＣ電源」と「電源」で共通し、
　引用発明の「１００Ｖ電源に接続する」ことは、本願発明の「ＡＣ電源に接続可能で前記電気出力を受けることができ」ることと「電源に接続可能で前記電気出力を受けることができ」ることで共通し、
　引用発明の「１００Ｖ電源を接続する」ことは、本願発明の「ＡＣ電源から電気出力を供給可能である」ことと「電源から電気出力を供給可能である」ことで共通する。
　また、引用発明の「１００Ｖ電源はＤＣ−ＤＣコンバータ電源回路（１０）のコンバータ駆動回路（１７）によりＯＮ，ＯＦＦされる」ことは、本願発明の「ＡＣ電源へのＤＣ電気入力が電気スイッチにより制御される」ことと「電源が制御される」ことで共通し、
　引用発明の「前記コンバータ駆動回路（１７）をＯＮして、電源をＯＮさせ前記ソケット端子（４ａ、４ｂ）に電流が流れるようにする」ことは、本願発明の「前記電気スイッチを電気的に制御して、前記電気出力を前記少なくとも１つの導電性ターミナルに印加するのを許容するように動作可能である」ことと「電源を制御して、前記電気出力を前記少なくとも１つの導電性ターミナルに印加するのを許容するように動作可能である」ことで共通する。
　
　そうすると、本願発明と引用発明の一致点及び相違点は、次のとおりである。
　
［一致点］  
「電源からの電気出力を少なくとも１つの先端を有する電気プラグのコネクタに供給するソケットであって、電源が制御されるソケットにおいて、
　複数の壁により形成された内部チャンバを有し、少なくとも１つの壁に開口を含むハウジングと、
　前記電源に接続可能で前記電気出力を受けることができ、前記内部チャンバにある少なくとも１つの電気的に導体の導電性ターミナルであって、前記ハウジングの前記壁にある開口を介してアクセス可能であって、前記開口を介して挿入可能な少なくとも１つの先端を有するとともに前記少なくとも１つの導電性ターミナルと接触する前記電気プラグのコネクタに前記電源から電気出力を供給可能である導電性ターミナルと、
　ソケット許可スイッチであって、少なくとも１つの先端が前記開口に挿入されたときに、電源を制御して、前記電気出力を前記少なくとも１つの導電性ターミナルに印加するのを許容するように動作可能であるソケット許可スイッチとからなる、ソケット。」
　  
［相違点１］ 
　本願発明では、電源がＡＣ電源であり、ＡＣ電源へのＤＣ電気入力が電気スイッチにより制御されるものであって、電気スイッチは少なくとも１つの制御ターミナルに接続し、電気スイッチは電気的に制御されるのに対して、引用発明では、１００Ｖ電源がＤＣ電源であり、１００Ｖ電源はＤＣ−ＤＣコンバータ電源回路（１０）のコンバータ駆動回路（１７）によりＯＮ，ＯＦＦされるものであって、コンバータ駆動回路（１７）はＩＣ（１８）に接続し、コンバータ駆動回路（１７）をＯＮして、電源をＯＮする点。
　 
［相違点２］ 
　ソケット許可スイッチが、本願発明では、内部チャンバに配置され、少なくとも１つの制御ターミナルに接続され、電気スイッチを電気的に制御すると共に、少なくとも１つの先端で起動されるのに対して、引用発明では、ソケットケース（１）に配置され、ＩＣ（１８）に接続され、コンバータ駆動回路（１７）をＯＮして、電源をＯＮさせると共に、家電用プラグ（５）により作動される点。
　
［相違点３］ 
　ソケット許可スイッチが、本願発明では、ＡＣ電源の電気出力から電気的に隔絶されているのに対して、引用発明では、ＤＣ−ＤＣコンバータ電源回路（１０）の１００Ｖ側から電気的に隔絶されている点。
　　
第５　当審の判断
［相違点１］について
　まず、電源をＤＣ電源に代えてＡＣ電源とすることは、使用する電気器具に応じて当業者が適宜選択し得たことである。
　そして、引用発明は、１００Ｖ電源のＯＮ，ＯＦＦをＤＣ−ＤＣコンバータ電源回路（１０）のコンバータ駆動回路（１７）により行うもの、すなわち、ＤＣ−ＤＣコンバータ電源回路（１０）のＦＥＴをＩＣ（１８）のＦＥＴ駆動回路により連続してＯＮ，ＯＦＦすることで電源をＯＮさせるものであるが、電源回路への電気入力を電気スイッチにより制御することは周知（実願昭５６−４５５７３号（実開昭５７−１６８９９４号）のマイクロフィルム（スイッチ１４）、特開昭５２−３５０３８号公報（スイッチ１０））であり、また、電気スイッチを電気的に制御することも周知（特開昭５２−８０４９３号公報（リレにより動作する接点）、実願昭６２−１３５５７２号（実開昭６４−４０１８８号）のマイクロフィルム（リレー・スイッチ１０）である。
　してみると、引用発明のようにＩＣ（１８）に接続したコンバータ駆動回路（１７）により電源のＯＮ，ＯＦＦを行うものに代えて、制御ターミナルに接続した電気スイッチにより電源への電気入力を電気的に制御するようにして、上記相違点１に係る本願発明の発明特定事項とすることは、引用発明及び周知の事項に基づいて当業者が容易に想到し得たことである。
　
［相違点２］について
　本願発明と引用例２に記載された事項を対比すると、その機能又は構造、作用からみて、後者の「ハウジングカバー１２」は前者の「ハウジング」に、以下、同様に、「ピン穴１２１」は「開口」に、「雄プラグ７」は「電気プラグ」に、「プラグピン７１」は「少なくとも１つの先端」に相当し、後者の「復帰接点レバー６０のレバー接点６０ａと第１クリップ２のクリップ接点２２とを接触させて電源と雄プラグ７を接続すること」及び「第１端子板４と第１クリップ２と接触させ電源と雄プラグ７が接続すること」は前者の「ソケット許可スイッチを起動すること」に相当する。
　そうすると、引用例２に記載された事項は、「ハウジングの開口を通して少なくとも１つの先端をハウジング内部へ差し込み、ハウジング内に設けたソケット許可スイッチを起動すること」（記載事項Ａ）及び「ハウジングに設けたボタン６２を電気プラグによって押し下げ、ソケット許可スイッチを起動すること」（記載事項Ｂ）と言い換えることができる。
　そして、引用例２に記載された両事項により、それぞれ「適切にソケットが安全コンセントに挿入された場合に限り、安全手段が解除され電源を供給する」ものである。
　したがって、引用例２の記載事項をふまえると、引用発明のソケットケース（１）に配置され、ＩＣ（１８）に接続されたソケット許可スイッチを、ハウジング内部（内部チャンバ）に配置し、少なくとも１つの先端をハウジング内部へ差し込むことにより、ソケット許可スイッチを起動するように、制御ターミナルに接続することは、当業者が引用例２に記載の事項に基づいて容易に成し得たことである。
　
［相違点３］について
　相違点１で検討したように、電源をＤＣ電源に代えてＡＣ電源とすることは、使用する電気器具に応じて当業者が適宜選択し得たことであり、そのようにＤＣの１００Ｖ電源をＡＣ電源として構成することで１００Ｖ側から電気的にに隔絶されているスイッチが、ＡＣ電源の電気出力から電気的に隔絶されるものとなることは自明であるから、相違点３に係る本願発明の発明特定事項とすることも、引用発明及び周知の事項に基づいて当業者が容易に想到し得たことである。
　
　そして、本願発明の奏する効果についてみても、引用発明、引用例２に記載の事項及び周知の事項から当業者が予測できた効果の範囲内のものである。
　
　したがって、本願発明は、引用発明、引用例２に記載の事項及び周知の事項に基づいて当業者が容易に発明をすることができたものである。 
　
第６　まとめ
　以上のとおり、本願発明は、引用発明、引用例２に記載の事項及び周知の事項に基づいて当業者が容易に発明をすることができたものであるので、特許法第２９条第２項の規定により特許を受けることができない。  
　したがって、本願のその他の請求項に係る発明について検討するまでもなく、本願は拒絶すべきものである。　　  
　 
　よって、結論のとおり審決する。